【手続補正書】
【提出日】平成25年11月28日(2013.11.28)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位で動き補償を用いて前記動画像が符号化された符号化ビット列を復号する動画像復号装置であって、
選択すべき予測動きベクトルを示す情報を差分動きベクトルとともに復号する復号部と、
復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成部と、
空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除部と、
復号された前記選択すべき予測動きベクトルを示す情報にもとづいて、前記予測動きベクトル候補リストから予測動きベクトルを選択する予測動きベクトル選択部と、
前記選択された予測動きベクトルと前記差分動きベクトルを加算することにより動き補償予測に用いる動きベクトルを算出する動きベクトル算出部と
を備えることを特徴とする動画像復号装置。
【請求項２】
前記予測動きベクトル冗長候補削除部は、空間的に近接する復号済みブロックから予測された予測動きベクトルと時間的に近接する復号済みブロックから予測された予測動きベクトルとの同一性を比較することなく、空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する、
ことを特徴とする請求項１記載の動画像復号装置。
【請求項３】
動画像の各ピクチャを分割したブロック単位で動き補償を用いて前記動画像が符号化された符号化ビット列を復号する動画像復号方法であって、
選択すべき予測動きベクトルを示す情報を差分動きベクトルとともに復号する復号ステップと、
復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成ステップと、
空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除ステップと、
復号された前記選択すべき予測動きベクトルを示す情報にもとづいて、前記予測動きベクトル候補リストから予測動きベクトルを選択する予測動きベクトル選択ステップと、
前記選択された予測動きベクトルと前記差分動きベクトルを加算することにより動き補償予測に用いる動きベクトルを算出する動きベクトル算出ステップと
を有することを特徴とする動画像復号方法。
【請求項４】
動画像の各ピクチャを分割したブロック単位で動き補償を用いて前記動画像が符号化された符号化ビット列を復号する動画像復号プログラムであって、
選択すべき予測動きベクトルを示す情報を差分動きベクトルとともに復号する復号ステップと、
復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成ステップと、
空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除ステップと、
復号された前記選択すべき予測動きベクトルを示す情報にもとづいて、前記予測動きベクトル候補リストから予測動きベクトルを選択する予測動きベクトル選択ステップと、
前記選択された予測動きベクトルと前記差分動きベクトルを加算することにより動き補償予測に用いる動きベクトルを算出する動きベクトル算出ステップと
をコンピュータに実行させることを特徴とする動画像復号プログラム。
【請求項５】
パケット化された符号化データをネットワークを介して受信する受信部と、
受信された符号化データをパケット処理して符号化ストリームを生成するパケット処理部と、
前記符号化ストリームから、選択すべき予測動きベクトルを示す情報を差分動きベクトルとともに復号する復号部と、
復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成部と、
空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除部と、
復号された前記選択すべき予測動きベクトルを示す情報にもとづいて、前記予測動きベクトル候補リストから予測動きベクトルを選択する予測動きベクトル選択部と、
前記選択された予測動きベクトルと前記差分動きベクトルを加算することにより動き補償予測に用いる動きベクトルを算出する動きベクトル算出部と
を備えることを特徴とする受信装置。
【請求項６】
前記予測動きベクトル冗長候補削除部は、空間的に近接する復号済みブロックから予測された予測動きベクトルと時間的に近接する復号済みブロックから予測された予測動きベクトルとの同一性を比較することなく、空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する、
ことを特徴とする請求項１記載の受信装置。
【請求項７】
パケット化された符号化データをネットワークを介して受信する受信ステップと、
受信された符号化データをパケット処理して符号化ストリームを生成するパケット処理ステップと、
前記符号化ストリームから、動画像の各ピクチャを分割したブロック単位で動き補償を用いて前記動画像が符号化された符号化ビット列を復号する動画像復号方法であって、
選択すべき予測動きベクトルを示す情報を差分動きベクトルとともに復号する復号ステップと、
復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成ステップと、
空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除ステップと、
復号された前記選択すべき予測動きベクトルを示す情報にもとづいて、前記予測動きベクトル候補リストから予測動きベクトルを選択する予測動きベクトル選択ステップと、
前記選択された予測動きベクトルと前記差分動きベクトルを加算することにより動き補償予測に用いる動きベクトルを算出する動きベクトル算出ステップと
を有することを特徴とする受信方法。
【請求項８】
パケット化された符号化データをネットワークを介して受信する受信ステップと、
受信された符号化データをパケット処理して符号化ストリームを生成するパケット処理ステップと、
前記符号化ストリームから、選択すべき予測動きベクトルを示す情報を差分動きベクトルとともに復号する復号ステップと、
復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成ステップと、
空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除ステップと、
復号された前記選択すべき予測動きベクトルを示す情報にもとづいて、前記予測動きベクトル候補リストから予測動きベクトルを選択する予測動きベクトル選択ステップと、
前記選択された予測動きベクトルと前記差分動きベクトルを加算することにより動き補償予測に用いる動きベクトルを算出する動きベクトル算出ステップと
をコンピュータに実行させることを特徴とする受信プログラム。
【手続補正２】
【補正対象書類名】明細書
【補正対象項目名】発明の名称
【補正方法】変更
【補正の内容】
【発明の名称】動画像復号装置、動画像復号方法、及び動画像復号プログラム、並びに、受信装置、受信方法、及び受信プログラム
【手続補正３】
【補正対象書類名】明細書
【補正対象項目名】００１１
【補正方法】変更
【補正の内容】
【００１１】
動画像の各ピクチャを分割したブロック単位で動き補償を用いて前記動画像が符号化された符号化ビット列を復号する動画像復号装置であって、
選択すべき予測動きベクトルを示す情報を差分動きベクトルとともに復号する復号部と、復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成部と、  空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除部と、復号された前記選択すべき予測動きベクトルを示す情報にもとづいて、前記予測動きベクトル候補リストから予測動きベクトルを選択する予測動きベクトル選択部と、前記選択された予測動きベクトルと前記差分動きベクトルを加算することにより動き補償予測に用いる動きベクトルを算出する動きベクトル算出部とを備えることを特徴とする動画像復号装置を提供する。
動画像の各ピクチャを分割したブロック単位で動き補償を用いて前記動画像が符号化された符号化ビット列を復号する動画像復号方法であって、選択すべき予測動きベクトルを示す情報を差分動きベクトルとともに復号する復号ステップと、復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成ステップと、空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除ステップと、復号された前記選択すべき予測動きベクトルを示す情報にもとづいて、前記予測動きベクトル候補リストから予測動きベクトルを選択する予測動きベクトル選択ステップと、前記選択された予測動きベクトルと前記差分動きベクトルを加算することにより動き補償予測に用いる動きベクトルを算出する動きベクトル算出ステップとを有することを特徴とする動画像復号方法を提供する。
動画像の各ピクチャを分割したブロック単位で動き補償を用いて前記動画像が符号化された符号化ビット列を復号する動画像復号プログラムであって、選択すべき予測動きベクトルを示す情報を差分動きベクトルとともに復号する復号ステップと、復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成ステップと、空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除ステップと、復号された前記選択すべき予測動きベクトルを示す情報にもとづいて、前記予測動きベクトル候補リストから予測動きベクトルを選択する予測動きベクトル選択ステップと、前記選択された予測動きベクトルと前記差分動きベクトルを加算することにより動き補償予測に用いる動きベクトルを算出する動きベクトル算出ステップとをコンピュータに実行させることを特徴とする動画像復号プログラムを提供する。
パケット化された符号化データをネットワークを介して受信する受信部と、受信された符号化データをパケット処理して符号化ストリームを生成するパケット処理部と、前記符号化ストリームから、選択すべき予測動きベクトルを示す情報を差分動きベクトルとともに復号する復号部と、復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成部と、空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除部と、復号された前記選択すべき予測動きベクトルを示す情報にもとづいて、前記予測動きベクトル候補リストから予測動きベクトルを選択する予測動きベクトル選択部と、前記選択された予測動きベクトルと前記差分動きベクトルを加算することにより動き補償予測に用いる動きベクトルを算出する動きベクトル算出部とを備えることを特徴とする受信装置を提供する。
パケット化された符号化データをネットワークを介して受信する受信ステップと、受信された符号化データをパケット処理して符号化ストリームを生成するパケット処理ステップと、前記符号化ストリームから、動画像の各ピクチャを分割したブロック単位で動き補償を用いて前記動画像が符号化された符号化ビット列を復号する動画像復号方法であって、選択すべき予測動きベクトルを示す情報を差分動きベクトルとともに復号する復号ステップと、復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成ステップと、空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除ステップと、復号された前記選択すべき予測動きベクトルを示す情報にもとづいて、前記予測動きベクトル候補リストから予測動きベクトルを選択する予測動きベクトル選択ステップと、前記選択された予測動きベクトルと前記差分動きベクトルを加算することにより動き補償予測に用いる動きベクトルを算出する動きベクトル算出ステップとを有することを特徴とする受信方法を提供する。
パケット化された符号化データをネットワークを介して受信する受信ステップと、受信された符号化データをパケット処理して符号化ストリームを生成するパケット処理ステップと、前記符号化ストリームから、選択すべき予測動きベクトルを示す情報を差分動きベクトルとともに復号する復号ステップと、復号対象ブロックと空間的又は時間的に近接する復号済みブロックのいずれかの動きベクトルから予測して、複数の予測動きベクトルの候補を導出し、予測動きベクトル候補リストを生成する予測動きベクトル候補生成ステップと、空間的に近接する復号済みブロックから予測された予測動きベクトルの候補間で同一性を比較し、空間的に近接する復号済みブロックから予測された予測動きベクトルの候補間で同一性を有する予測動きベクトルの候補を、前記予測動きベクトル候補リストから少なくとも１つを残して削除する予測動きベクトル冗長候補削除ステップと、復号された前記選択すべき予測動きベクトルを示す情報にもとづいて、前記予測動きベクトル候補リストから予測動きベクトルを選択する予測動きベクトル選択ステップと、前記選択された予測動きベクトルと前記差分動きベクトルを加算することにり動き補償予測に用いる動きベクトルを算出する動きベクトル算出ステップとをコンピュータに実行させることを特徴とする受信プログラムを提供する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】